(57)【要約】【課題】取付具の外れや破損を防止するとともに、受け部材及びガラスの端部を確実に固定出来るオープンショーケースにおける風防ガラスの取付構造を提供すること。【解決手段】受け部材２１と風防ガラス２２外面との間に、前端に向けて開口する間隙が長さ方向に形成されるとともに、取付具２４は、受け部材２１及び風防ガラス２２の端部を被覆する被覆部２４ａと、被覆部２４ａから冷蔵室側に延びる延長部２４ｂと、被覆部２４ａから後方に延びる挿入片２４ｃと、から成り、取付具２４の挿入片２４ｃを間隙に挿嵌し、且つ、取付具２４の延長部２４ｂを固定手段２７により側板本体２０の内側面に固定した。【選択図】図５
2008173376.tif 000002
【特許請求の範囲】
【請求項１】
オープンショーケースの側面を閉塞する側板を構成するオープンショーケースにおける風防ガラスの取付構造であって、
前記側板は、前記オープンショーケースの前面側に開口部を有する側板本体と、該側板本体の開口部に受け部材を介して嵌合した前記風防ガラスと、から成るとともに、前記受け部材及び前記風防ガラスの端部を前記側板本体に対し取付具により固定して構成されており、
前記受け部材と前記風防ガラス外面との間に、前端に向けて開口する間隙が長さ方向に形成されるとともに、前記取付具は、前記受け部材及び前記風防ガラスの端部を被覆する被覆部と、該被覆部から前記冷蔵室側に延びる延長部と、該被覆部から後方に延びる挿入片と、から成り、
前記取付具の挿入片を前記間隙に挿嵌し、且つ、前記取付具の延長部を固定手段により前記側板本体の内側面に固定したことを特徴とするオープンショーケースにおける風防ガラスの取付構造。
【請求項２】
前記オープンショーケースは、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた吸込口に向かって吹き出される冷気によりエアーカーテンを形成することにより、前記冷蔵室を保冷するようにしたものであり、
前記受け部材と前記風防ガラス外面との間隙は、前記風防ガラスの外面に発生した結露水を導水する導水路であり、前記取付具の挿入片が、前記導水路と略同幅に形成されるとともに、下方に導水のための空隙を残存させて前記導水路に挿嵌され、前記取付具の被覆部から延長部にかけて、前記導水路と前記冷蔵室側に開口した排水口とを連通する排水路が形成されていることを特徴とする請求項１に記載のオープンショーケースにおける風防ガラスの取付構造。
【発明の詳細な説明】
【技術分野】
【０００１】
本発明は、オープンショーケースの側面を閉塞する側板を構成するオープンショーケースにおける風防ガラスの取付構造に関する。
【背景技術】
【０００２】
従来のオープンショーケースにおける風防ガラスの取付構造は、オープンショーケースの側板が、オープンショーケースの前面側に開口部を有する側板本体と、この側板本体の開口部に受け部材を介して嵌合したガラスと、から成るとともに、受け部材及びガラスの端部を側板本体に対し取付具により固定して構成されている（例えば、特許文献１、特許文献２参照）。
【０００３】
【特許文献１】特開２０００−１８４９４３号公報（第２頁、第２図）
【特許文献２】特開平６−２６５２５１号公報（第４頁、第６図）
【発明の開示】
【発明が解決しようとする課題】
【０００４】
しかしながら、特許文献１及び特許文献２にあっては、取付具により受け部材及びガラスの端部を固定する取付具の固定箇所に制約があり、取付具により十分に固定することが出来ないため、買い物かごや出し入れされる商品等の衝突による取付具の外れや破損が発生していた。
【０００５】
本発明は、このような問題点に着目してなされたもので、取付具の外れや破損を防止するとともに、受け部材及びガラスの端部を確実に固定出来るオープンショーケースにおける風防ガラスの取付構造を提供することを目的とする。
【課題を解決するための手段】
【０００６】
上記課題を解決するために、本発明の請求項１に記載のオープンショーケースにおける風防ガラスの取付構造は、
オープンショーケースの側面を閉塞する側板を構成するオープンショーケースにおける風防ガラスの取付構造であって、
前記側板は、前記オープンショーケースの前面側に開口部を有する側板本体と、該側板本体の開口部に受け部材を介して嵌合した前記風防ガラスと、から成るとともに、前記受け部材及び前記風防ガラスの端部を前記側板本体に対し取付具により固定して構成されており、
前記受け部材と前記風防ガラス外面との間に、前端に向けて開口する間隙が長さ方向に形成されるとともに、前記取付具は、前記受け部材及び前記風防ガラスの端部を被覆する被覆部と、該被覆部から前記冷蔵室側に延びる延長部と、該被覆部から後方に延びる挿入片と、から成り、
前記取付具の挿入片を前記間隙に挿嵌し、且つ、前記取付具の延長部を固定手段により前記側板本体の内側面に固定したことを特徴としている。
この特徴によれば、オープンショーケースの側板を構成する風防ガラスを側板本体に対し固定する取付具が、受け部材と風防ガラス外面との間隙に挿嵌する被覆部から延びた挿入片と、側板本体の内側面に固定する固定手段とによる２点での固定となるため、取付具の外れや破損を防止するとともに、受け部材及びガラスの端部を確実に固定できる。
【０００７】
本発明の請求項２に記載のオープンショーケースにおける風防ガラスの取付構造は、請求項１に記載のオープンショーケースにおける風防ガラスの取付構造であって、
前記オープンショーケースは、外箱と内箱とからなり、かつ該外箱と内箱との間に冷気の通風路が形成されたショーケース本体内に、前面が開放する冷蔵室を形成し、該冷蔵室の前面に、前記通風路の上部前端に設けた冷気吹出口から、通風路の下部上端に設けた吸込口に向かって吹き出される冷気によりエアーカーテンを形成することにより、前記冷蔵室を保冷するようにしたものであり、
前記受け部材と前記風防ガラス外面との間隙は、前記風防ガラスの外面に発生した結露水を導水する導水路であり、前記取付具の挿入片が、前記導水路と略同幅に形成されるとともに、下方に導水のための空隙を残存させて前記導水路に挿嵌され、前記取付具の被覆部から延長部にかけて、前記導水路と前記冷蔵室側に開口した排水口とを連通する排水路が形成されていることを特徴としている。
この特徴によれば、受け部材の導水路に、略同幅に形成された取付具の挿入片を挿嵌することで、導水路と排水路との位置ずれが無くなるため、風防ガラスの外面に発生した結露水を、排水口を介して冷蔵室側に確実に排水できるとともに、風防ガラス固定のための取付具を利用することで、新たに排水のための部品を用意する必要がない。
【発明を実施するための最良の形態】
【０００８】
本発明の実施例を以下に説明する。
【実施例１】
【０００９】
本発明の実施例を図面に基づいて説明すると、先ず図１は、本発明の実施例１における冷蔵ショーケースの全体像を示す断面図である。図２は、冷蔵ショーケースの側面図である。図３（ａ）は、冷蔵ショーケース右側の受け部材等の前端を示す拡大斜視図であり、（ｂ）は、（ａ）と同じく取付具を取付けた状況を示す拡大斜視図である。図４は、取付具を裏面側から見た斜視図である。図５は、取付具の内方の状況を示す拡大斜視図である。図６は、受け部材の断面図である。図７は、取付具の一部断面を示す拡大斜視図である。
【００１０】
図１に示される冷蔵ショーケース１は、主に商店やスーパーマーケットやコンビニエンスストア等の食品等を取り扱う販売店舗に設置され、商品を低温に保ったまま保冷、または冷凍した状態で陳列するために設置されるオープンショーケースであり、正面側を開口した内箱３により囲まれた冷蔵室５には、商品を陳列する陳列棚６が上下方向に複数設置され、下部に設けられた底板３ｂにも商品（図示省略）を陳列可能になっており、商品を多数載置可能な構成となっている。以下、本実施例の説明において、図１の冷蔵ショーケース１を対面した状態で見て、手前正面側を右方とし、奥行き側を左方とし、内箱３の開口側（左側）を前方とし、閉塞側（右側）を後方として説明する。
【００１１】
冷蔵ショーケース１は、前面（図の左方）が開放された略コ字形をなす断熱構造の外箱２と、その内方の、同じく前面が開放された略コ字形の内箱３とからなるケース本体を備え、その内部空間は冷蔵室５となっている。内箱３の背面板３ａには、上下複数段の陳列棚６の後端が取付けられ、この各陳列棚６と内箱３の底板３ｂとの上面に、商品（図示略）が陳列されるようになっている。
【００１２】
外箱２と内箱３との間には、通風路７が形成され、この通風路７の垂直部と底部には、それぞれ冷却装置８と送風機９が設置されている。ケース本体の上部の前端には、通風路７と連通する冷気吹出口１０が下向きに形成され、またケース本体の前端下部の上端において外箱２と内箱３との間には、上方に開口する冷気の吸込口１１が形成されている。
【００１３】
送風機９を作動させると、冷却装置８により冷却された冷気は、矢印のように、通風路７内を上方に向かって流れ、冷気吹出口１０より、下方の吸込口１１に向かって吹き出される。これにより、ケース本体の前面の開放面に冷気のエアカーテン１２が形成されるとともに、その冷気の一部が冷蔵室５内に流入することにより、陳列商品が保冷されるようになる。
【００１４】
吸込口１１と送風機９との間における通風路７内の下底面には、排水管１５と連通する排水孔１４が設けられており、通風路７内の下底面は、排水孔１４に向かって下方に傾斜している。このようにすることで、通風路７内及び冷気吹出口１０から吸込口１１に亘って形成される循環路を循環する空気が、冷却装置８による温度低下と、エアカーテン１２として周囲を冷やすことによる温度上昇とを繰り返す過程において、飽和水蒸気量の変化により空気中の水蒸気が結露し水滴として発生するが、この水滴を排水孔１４側に流動させることが出来る。
【００１５】
次に、冷蔵ショーケース１の左右両側面の構成について説明する。
【００１６】
図２に示されるように、冷蔵ショーケース１の左右両側面を閉塞する側板は、冷蔵ショーケース１の前面側に開口部２０ａを有する側板本体２０と、側板本体２０の開口部２０ａに受け部材２１を介して嵌合した風防ガラス２２と、から主として成る。側板本体２０は、風防ガラス２２及び後述する受け部材２１を嵌合可能に所定の厚さ寸法を有しており、側板本体２０の前面側に形成される開口部２０ａは、冷蔵室５内の底板３ｂ（図１参照）の高さ位置近くまで開口して略水平方向に延び、連続して略垂直方向に所定高さ延びて、更に連続して前上方に向かって延びるようにして形成されており、冷蔵ショーケース１の外側方から冷蔵室５に陳列された商品全体が見られるように成っている。
【００１７】
このように形成された側板本体２０の開口部２０ａに沿って側周辺が成型された風防ガラス２２が、受け部材２１を介して開口部２０ａに嵌合されている。風防ガラス２２の前側辺は、略鉛直方向に上下に延びており、上面視コ字状に形成されたカバー２３が、上下方向に沿って前側辺を被覆しており、風防ガラス２２を防護している。
【００１８】
図３（ａ）に示されるように、側板本体２０と風防ガラス２２との間に介在している受け部材２１は、風防ガラス２２の厚さよりも幅広に風防ガラス２２の周面に向かって開口した断面視コ字状に、略同じ断面で形成されており、このコ字状の内部に風防ガラス２２が嵌合している。また、受け部材２１は、風防ガラス２２の前側辺を上下方向に被覆するカバー２３の下端部も嵌合し、且つ、カバー２３よりも若干前方側に延びている。
【００１９】
このようにすることで、側板本体２０の開口部２０ａと風防ガラス２２との間に介在する受け部材２１が、長さ方向に亘って略同じ断面形状で容易に成型できるため、成型後の追加工を要することなく製作のコストダウンが出来る。また、後述する冷蔵ショーケース１における受け部材２１の形状を共通化出来る。
【００２０】
図３（ｂ）及び図６に示されるように、受け部材２１の断面視形状について詳しく説明すると、コ字状を形成する受け部材２１の断面視左右の内壁面における上下方向の略中央に、内方に向けて膨出する膨出部２１ｂ、２１ｅが夫々設けられており、この膨出部２１ｂ、２１ｅの対向面間が、風防ガラス２２の厚さ寸法より若干大寸に形成されているため、風防ガラス２２を膨出部２１ｂ、２１ｅに沿って受け部材２１に嵌合することで、受け部材２１の内部における風防ガラス２２が位置決めされ、膨出部２１ｂ、２１ｅの上方及び下方において、風防ガラス２２の外面と受け部材２１の内壁面との間に、後述する所定の間隙が形成される。
【００２１】
すなわち、図示右側の膨出部２１ｂの上方において、冷蔵ショーケース１の外側面を構成する風防ガラス２２の外面２２ａと受け部材２１の内壁面との間に、前後方向に形成された間隙は、後述のように風防ガラス２２の外面に発生した結露水を受ける受水部２１ａとして構成される。同様に、冷蔵ショーケース１の内側面を構成する風防ガラス２２の外面２２ｂと受け部材２１の内壁面との間に、受水部２１ｄが構成される。尚、特に図示しないが、冷蔵ショーケース１左側の側面についても上述と同様の構成を有する。
【００２２】
また、膨出部２１ｂの下方において、冷蔵ショーケース１の外側面を構成する風防ガラス２２の外面２２ａと受け部材２１の内壁面との間に、所定幅の間隙が前後方向に亘って形成されているとともに、この間隙が前方に向かって開口している。この間隙は、結露水を後述のように排水する導水路２１ｃとして構成される。同様に、冷蔵ショーケース１の内側面を構成する風防ガラス２２の外面２２ｂと受け部材２１の内壁面との間に、導水路２１ｆが構成される。
【００２３】
また、図３（ｂ）及び図４に示されるように、受け部材２１の前方側に、嵌合した風防ガラス２２及びカバー２３の受け部材２１からの脱嵌を防止する取付具２４が、受け部材２１及び側板本体２０に対し、後述のように固定に取付けられている。取付具２４について具体的に説明すると、取付具２４は、受け部材２１の前端及びこの前端より前方の側板本体２０を被覆する被覆部２４ａと、この被覆部２４ａから冷蔵室５側に延びる延長部２４ｂと、導水路２１ｃと略同じ幅を有し、且つ導水路２１ｃより高さ寸法が小さい被覆部２４ａから延びる挿入片２４ｃと、から主として成る。被覆部２４ａ及び延長部２４ｂの裏面側には、外壁２５ａとこの外壁２５ａに頂辺で連続する内壁２５ｂとからなり、取付状態において下方に向けて拡開し断面が開放する断面視略Ｖ字状の排水路２５が、挿入片２４ｃと略連続して、延長部２４ｂにおいて開口した排水口２６まで形成されている。すなわち、前記した導水路２１ｃは、排水路２５、そして排水口２６まで連通している。
【００２４】
図５に示されるように、取付具２４の取付について説明すると、取付具２４の挿入片２４ｃを、受け部材２１の導水路２１ｃに沿って前後方向に挿嵌するとともに、固定手段としての固定ネジ２７を、延長部２４ｂに設けられた挿通孔２４ｄ（図４参照）に挿通するとともに、側板本体２０の内側面に螺挿することで、取付具２４を受け部材２１及び側板本体２０に対し固定に取付ける。取付具２４が取付けられた状態において排水口２６は、エアカーテン１２の吸込口１１に向かって開口している。このようにすることで、冷蔵ショーケース１の側板を構成する風防ガラス２２を側板本体２０に対し固定する取付具２４が、受け部材２１と風防ガラス外面との間隙に挿嵌する被覆部２４ａから延びた挿入片２４ｃと、側板本体２０の内側面に固定する固定ネジ２７とによる２点での固定となるため、取付具２４の外れや破損を防止するとともに、受け部材２１及び風防ガラス２２の端部を確実にできる。
【００２５】
またこのように、導水路２１ｃと略同じ幅に形成された挿入片２４ｃを前後方向に挿入することで、挿入片２４ｃの左右側面が受け部材２１の内壁面及び風防ガラス２２の外面２２ａと当接し、取付具２４を左右方向に拘束し位置決めでき、且つ、固定手段としての固定ネジ２７を左右方向に向かって螺挿することで、取付具２４を前後方向に拘束し位置決めできる。
【００２６】
また、図６に示されるように、導水路２１ｃに嵌挿した挿入片２４ｃの下方には、導水路２１ｃに連通する所定高さ寸法を有する空隙２１ｇが形成されている。
【００２７】
次に、風防ガラス２２の外面に発生した結露水の排水について説明する。
【００２８】
冷蔵ショーケース１の冷蔵室５内を所定温度に冷蔵することにより、冷蔵室５内の空気は冷蔵ショーケース１の外方の空気より当然に温度が低くなる。冷蔵ショーケース１の外側面を構成する風防ガラス２２の外面２２ａ近傍の空気が、冷蔵室５内の低温の空気により冷やされることで、飽和水蒸気量が小さくなって湿度が高くなって露点に達し、風防ガラス２２の外面２２ａ近傍における空気中の水蒸気が水滴になり、風防ガラス２２の外面２２ａ上に結露水Ｄとして発生する。
【００２９】
このように風防ガラス２２の外面２２ａ上に発生した結露水Ｄは、重力により、外面２２ａを下方に伝って風防ガラス２２の外面２２ａと受け部材２１の内壁面との間に形成された受水部２１ａを介して導水路２１ｃに移動する。次に、冷蔵室５において、上述のように前端上部に設けた冷気吹出口１０から前端下部に設けた吸込口１１に向けて吹き出されるエアカーテン１２の流動により（図１参照）、吸込口１１に向けて開口した排水口２６と連通する導水路２１ｃ内に負圧が生じ、導水路２１ｃ内の結露水Ｄを、排水路２５を介して流動させ（図７白抜矢印参照）、排水口２６側に向けて吸引する。
【００３０】
このように、側板本体２０の開口部２０ａと風防ガラス２２との間に介在する受け部材２１が、前後方向に亘って略同じ断面形状で容易に成型されているため、成型後の追加工を要することなく、風防ガラス２２の外面２２ａに発生する結露水Ｄを排水できる。また、風防ガラス２２を固定するための取付具２４を利用して排水するので、追加部品を要することなく冷蔵室５側に容易に排水できる。
【００３１】
また、上述のように、排水口２６は吸込口１１に向けて開口しており、このようにすることで、導水路２１ｃ内の結露水Ｄを、冷気吹出口１０から吸込口１１に向かって吹き出されるエアカーテン１２の冷気を利用して（図１参照）、別段の排水手段を要することなく導水路２１ｃと連通する排水口２６に向けて流動させ、冷蔵室５側に排水することができるため、結露水Ｄの滞留を防ぐことにより黴の発生等を防止して、受け部材２１内部の清潔さを維持することが出来る。また、排水した結露水Ｄを、冷気とともに吸込口１１内の通風路７内に引き込めるため、冷蔵室５の底板３ｂ（図１参照）や陳列された商品を汚さず清潔である。
【００３２】
図６及び図７に示されるように、この吸引により、結露水Ｄは、導水路２１ｃ内を移動し、導水路２１ｃの前端側に挿嵌された挿入片２４ｃの下方の空隙２１ｇを通過して排水路２５へ導かれる。上述のように、受け部材２１の導水路２１ｃに、略同幅に形成された取付具２４の挿入片２４ｃを挿嵌することで、導水路２１ｃと排水路２５との位置ずれが無くなるため、風防ガラス２２の外面２２ａに発生した結露水Ｄを、排水口２６を介して冷蔵室５側に確実に排水できるとともに、風防ガラス２２固定のための取付具２４を利用することで、新たに排水のための部品を用意する必要がない。
【００３３】
また、本実施例では、排水路２５は外壁２５ａと内壁２５ｂとからなっているが、外壁２５ａは排水路２５の長手方向に亘って側板本体２０の周面に当接するように下方に延びている一方、内壁２５ｂは排水路２５の長手方向に亘って側板本体２０の周面と離間するように外壁２５ａよりも若干短く延びている。尚、外壁２５ａの下端に長手方向に沿って、防水用のシール材を設けてもよい。
【００３４】
排水路２５の上記構成により、導水路２１ｃから排水路２５側に流動した結露水Ｄは、取付具２４の被覆部２４ａ内において、排水路２５の導水路２１ｃ側の端部のみでなく、側板本体２０の側周面を伝って排水路２５の長手方向のどこからでも排水路２５内に流動し、主に外壁２５ａに沿って、排水口２６に向けて吸引される。また、排水が人目に着き難いため美観が向上する。
【００３５】
また、排水路２５の上記構成により、冷蔵ショーケース１の外側面を構成する風防ガラス２２の外面２２ａと受け部材２１の内壁面との間の間隙のみでなく、冷蔵ショーケース１の内側面を構成する風防ガラス２２の外面２２ｂと受け部材２１の内壁面との間の間隙である導水路２１ｆも、排水路２５及び排水口２６と連通することとなる。このようにすることで、例えば、図６に示されるように、冷蔵室５内を水洗浄する場合などに冷蔵ショーケース１の内側面を構成する風防ガラス２２の外面２２ｂに付着した付着水Ｓも、上述した結露水Ｄと同様に、エアカーテン１２の流動により生じた負圧で、排水口２６側に向けて吸引することが出来る。
【００３６】
更に、排水路２５が、下方に向けて拡開し断面が開放する断面視略Ｖ字状に形成されているため、断面積が比較的小さい外壁２５ａと内壁２５ｂとの頂角付近においては、結露水Ｄの表面張力を利用した毛細管現象により、排水路２５の長手方向に排水口２６に向けて排水を効率よく行うことができる。
【００３７】
そして、排水口２６から排出された結露水Ｄは、排水口２６の下方に設けられた吸込口１１を介して通風路７内に流動し、排水孔１４から排水管１５側に排水されることになる。このようにすることで、風防ガラス２２の外面２２ａに発生した結露水Ｄ若しくは外面２２ｂに付着した付着水Ｓを、特段の排水設備を設けることなく、通風路７内に設けられている既存の排水孔１４を利用して、エアカーテン１２生成の際に発生する水分とともに、排水することが出来る。
【００３８】
また、排水路２５は、冷蔵ショーケース１の外側面を構成する風防ガラス２２の外面２２ａ側から冷蔵ショーケース１の内側面に設けた排水口２６にかけて、側板本体２０の後部側から前部側に向かうように斜め方向に形成されている。このようにすることで、側板本体２０の側周面を、後部側から前部側に向かって下方に傾斜する傾斜面とした場合に、この傾斜面を利用して、上記した斜め方向に形成された排水路２５内に結露水Ｄをスムーズに通過させることが出来る。
【００３９】
尚、本実施例では、導水路２１ｃ及び排水口２６と連通する排水路２５は、断面が開放した形状と成っているが、必ずしも上記構成に限られず、例えば変形例として、断面が閉塞して長手方向に連続する管状に構成されていてもよい。このように管状に構成された排水路は、導水路に連続する被覆部２４ａから排水口に連続する延長部２４ｂにかけて高所から低所に向かって連通していることが望ましい。このようにすることで、下方に向かう重力を利用して排水をスムーズに行うことが出来る。
【００４０】
更に尚、上記した変形例のように管状に構成された排水路は、排水方向に対する略直交断面の断面積が、導水路における導水方向に対する略直交断面の断面積よりも小さく形成されていることが望ましい。このようにすることで、結露水の表面張力を利用した毛細管現象により、導水路から排水路に向けて結露水を導いて、排水をスムーズに行うことが出来る。
【００４１】
以上、本発明の実施例を図面により説明してきたが、具体的な構成はこれら実施例に限られるものではなく、本発明の要旨を逸脱しない範囲における変更や追加があっても本発明に含まれる。
【００４２】
例えば、上記実施例では、オープンショーケースとして、外箱２と内箱３とからなり、かつ外箱２と内箱３との間に冷気の通風路が形成された本体内に、冷蔵室５を形成しているが、オープンショーケースは、必ずしも上記構成に限られず、冷蔵機能を有しない通常のオープンショーケースも包含する。また、前記通常のオープンショーケースにおいては、該オープンショーケースの内部と外部とで温度差が生じず、結露水も発生しないため、上記実施例のように、受け部材に特段の導水路を形成しなくても構わない。
【図面の簡単な説明】
【００４３】
【図１】本発明の実施例１における冷蔵ショーケースの全体像を示す断面図である。
【図２】冷蔵ショーケースの側面図である。
【図３】（ａ）は、冷蔵ショーケース右側の受け部材等の前端を示す拡大斜視図であり、（ｂ）は、（ａ）と同じく取付具を取付けた状況を示す拡大斜視図である。
【図４】取付具を裏面側から見た斜視図である。
【図５】取付具の内方の状況を示す拡大斜視図である。
【図６】受け部材の断面図である。
【図７】取付具の一部断面を示す拡大斜視図である。
【符号の説明】
【００４４】
１                冷蔵ショーケース（オープンショーケース）
２                外箱
３                内箱
５                冷蔵室
７                通風路
１０              冷気吹出口
１１              吸込口
１２              エアカーテン
１４              排水孔
２０              側板本体
２１              受け部材
２１ａ            受水部（間隙）
２１ｂ            膨出部
２１ｃ            導水路（間隙）
２１ｇ            空隙
２２              風防ガラス
２３              カバー
２４              取付具
２４ａ            被覆部
２４ｂ            延長部
２４ｃ            挿入片
２４ｄ            挿通孔
２５              排水路
２６              排水口
２７              固定ネジ
【図１】
2008173376.tif 000003
【図２】
2008173376.tif 000004
【図３】
2008173376.tif 000005
【図４】
2008173376.tif 000006
【図５】
2008173376.tif 000007
【図６】
2008173376.tif 000008
【図７】
2008173376.tif 000009